(57)【要約】【課題】  加熱された洗浄水を利用して食器を洗浄したり熱風を利用して食器を乾燥したりする場合、ドアの開放を制限するためのコントローラを具備した食器洗浄機を提供する。【解決手段】  コントローラは洗浄水の温度が第１設定温度より低いと、ドアを解除するようにドアロック装置を制御する。かつ、コントローラは洗浄室の内部温度が第２設定温度より低いと、ドアを解除するようにドアロック装置を制御する。本発明の食器洗浄機は、適切な状態のみでドアの開放を許すことにより、使用者が安心して気楽に食器洗浄機を使用することが可能となる。【選択図】図２
2005177461.tif 000002
【特許請求の範囲】
【請求項１】
食器を洗浄するための洗浄室と、
洗浄水を加熱するための第１ヒーターと、
前記洗浄水の温度を感知するための水温感知センサーと、
前記洗浄室を開閉するためのドアと、
前記ドアを選択的にロックするためのドアロック装置と、
前記水温感知センサーにより感知された洗浄水の温度が第１設定温度より高いと、前記ドアをロックするように前記ドアロック装置を制御するコントローラとを含むことを特徴とする食器洗浄機。
【請求項２】
前記コントローラは、前記水温感知センサーにより感知された洗浄水の温度が第１設定温度より低いと、前記ドアのロックを解除することを特徴とする請求項１に記載の食器洗浄機。
【請求項３】
前記ドアロック装置は、前記ドアをロックするためのレバーを具備し、前記レバーは前記コントローラにより制御されることを特徴とする請求項１に記載の食器洗浄機。
【請求項４】
前記洗浄水を集水するための集水箱をさらに含み、前記第１ヒーターおよび前記水温感知センサーは前記集水箱内に設置されることを特徴とする請求項１に記載の食器洗浄機。
【請求項５】
前記第１ヒーターにより加熱された洗浄水を噴射する噴射ノズルと、前記集水箱に集水された洗浄水を前記噴射ノズルにポンプして循環させるモーターとをさらに含むことを特徴とする請求項４に記載の食器洗浄機。
【請求項６】
前記食器を乾燥させるために前記洗浄室に熱風を循環させる熱風循環装置と、前記洗浄室の温度を感知する室温感知センサーとをさらに含むことを特徴とする請求項１に記載の食器洗浄機。
【請求項７】
前記熱風循環装置は食器を乾燥させるために空気を加熱する第２ヒーターと、洗浄室に熱風を循環させる送風ファンとを含むことを特徴とする請求項６に記載の食器洗浄機。
【請求項８】
前記室温感知センサーは前記第２ヒーターの付近に設置することを特徴とする請求項７に記載の食器洗浄機。
【請求項９】
前記コントローラは、前記室温感知センサーにより感知された洗浄室の温度が第２設定温度より高いと、前記ドアをロックするように前記ドアロック装置を制御することを特徴とする請求項６に記載の食器洗浄機。
【請求項１０】
前記コントローラは、前記室温感知センサーにより感知された洗浄室の温度が第２設定温度より低いと、前記ドアのロックを解除するように前記ドアロック装置を制御することを特徴とする請求項６に記載の食器洗浄機。
【請求項１１】
食器を洗浄するための洗浄室と、
洗浄水を加熱するための洗浄水加熱ヒーターと、
洗浄室の内部空気を加熱するための乾燥ヒーターと、
前記洗浄水の温度を感知するための水温感知センサーと、
前記洗浄室の温度を感知するための室温感知センサーと、
前記洗浄室を開閉するためのドアと、
前記ドアを選択的にロックするためのドアロック装置と、
前記水温感知センサーにより感知された洗浄水の温度と前記室温感知センサーにより感知された洗浄室の温度のうち少なくとも一つと予め設定された温度とを比較し、前記ドアロック装置の作動を制御するコントローラとを含むことを特徴とする食器洗浄機。
【請求項１２】
前記コントローラは、前記洗浄水の温度が第１設定温度より高いかまたは前記洗浄室の温度が第２設定温度より高いと、前記ドアをロックするようにドアロック装置を制御することを特徴とする請求項１１に記載の食器洗浄機。
【請求項１３】
前記コントローラは、前記洗浄水の温度が第１設定温度より低いかまたは前記洗浄室の温度が第２設定温度より低いと、前記ドアのロックを解除するようにドアロック装置を制御することを特徴とする請求項１２に記載の食器洗浄機。
【請求項１４】
コントローラは、前記水温感知センサーにより感知された洗浄水の温度と第１設定温度とを比較し、室温感知センサーにより感知された洗浄室の温度と第２設定温度とを比較することによりドアロック装置を制御し、
前記コントローラは、
前記洗浄水の温度が第１設定温度より高いと、ドアをロックするようにドアロック装置を制御し、
前記洗浄室の温度が第２設定温度より高いと、ドアをロックするようにドアロック装置を制御し、
前記洗浄水の温度が第１設定温度より低く、洗浄室の温度が前記第２設定温度より低いと、ドアを解除するように制御することを特徴とする請求項１１に記載の食器洗浄機。
【請求項１５】
洗浄室にセットされた食器を洗浄するために洗浄水を加熱し、
前記洗浄水の温度を感知し、
前記感知された洗浄水の温度と第１設定温度とを比較し、
前記感知された洗浄水の温度が第１設定温度より高いと、洗浄室のドアをロックするようにドアロック装置を制御することを特徴とする食器洗浄機の制御方法。
【請求項１６】
前記感知された洗浄水の温度が前記第１設定温度より高いと、洗浄室のドアをロックするようにドアロック装置を制御することは、前記ドアロック状態で感知された洗浄水の温度が第１設定温度より低いと、ドアを解除するようにドアロック装置を制御することを含むことを特徴とする請求項１５に記載の食器洗浄機の制御方法。
【請求項１７】
前記食器の洗浄後に乾燥のために前記洗浄室に熱風を循環させ、
前記洗浄室の温度を感知し、
前記感知された洗浄室の温度と第２設定温度とを比較し、
前記感知された洗浄室の温度が第２設定温度より高いと、洗浄室のドアをロックするようにドアロック装置を制御することを特徴とする請求項１５に記載の食器洗浄機の制御方法。
【請求項１８】
前記感知された洗浄室の温度が第２設定温度より高いと、前記洗浄室のドアをロックするようにドアロック装置を制御することは、前記感知された洗浄室の温度が第２設定温度より低いと、ドアを解除するようにドアロック装置を制御することを特徴とする請求項１７に記載の食器洗浄機の制御方法。
【請求項１９】
食器を洗浄する洗浄室を有する本体と、
前記洗浄室を選択的に開閉するドアと、
食器を洗浄する洗浄水と食器を乾燥させる空気のうち少なくとも一つを加熱する少なくとも一つのヒーターと、
洗浄水の温度と洗浄室の温度のうち少なくとも一つを感知する少なくとも一つのセンサーと、
ドアを選択的にロックするドアロック装置と、
洗浄水の温度と洗浄室の温度のうち少なくとも一つがそれぞれ予め設定された制限値より高いと、ドアをロックするようにドアロック装置を制御するコントローラとを含むことを特徴とする装置。
【請求項２０】
食器を洗浄する洗浄室を有する本体と、
前記洗浄室を選択的に開閉するドアと、
食器を洗浄する洗浄水を加熱する第１ヒーターと、
洗浄水の温度を感知する第１センサーと、
洗浄室の空気を循環させる熱風循環装置と、
洗浄室の温度を感知する第２センサーと、
ドアを選択的にロックするドアロック装置と、
洗浄水の温度が第１設定温度より高いと、ドアをロックするようにドアロック装置を制御し、洗浄室の温度が第２設定温度より高いと、ドアをロックするようにドアロック装置を制御し、洗浄水の温度と洗浄室の温度の両方がそれぞれ第１設定温度と第２設定温度より低いと、ドアを解除するようにドアロック装置を制御するコントローラとを含むことを特徴とする装置。
【請求項２１】
熱風循環装置は、洗浄室の空気を加熱する第２ヒーターと、洗浄室の空気を循環させる送風ファンとを含み、第２センサーは洗浄室の空気温度を感知することを特徴とする請求項２０に記載の装置。
【請求項２２】
第２センサーは第２ヒーターの付近に設置することを特徴とする請求項２１に記載の装置。
【請求項２３】
熱風循環装置は、ドアの内部に設置され、第２ヒーターと送風ファンを受容するケース部と、前記ケース部の開口部と結合され、ケース部と洗浄室との間の空気を互いに交換する通気穴とを有することを特徴とする請求項２１に記載の装置。
【請求項２４】
洗浄室から排出される水を集水する集水箱をさらに含み、第１ヒーターと第１センサーが前記集水箱に配置されることを特徴とする請求項２０に記載の装置。
【請求項２５】
排水ポンプと、
前記集水箱から洗浄水を排出するように排水ポンプを選択的に駆動する排水モーターと、
循環ポンプと、
前記集水箱から洗浄水をポンプするように前記循環ポンプを選択的に駆動する循環モーターと、
前記集水箱からポンプされた洗浄水を導く連結管と、
前記ポンプされた洗浄水を食器に噴射する噴射ノズルとを含むことを特徴とする請求項２４に記載の装置。
【請求項２６】
使用者により機器に対する入力命令を設定するための入力部をさらに含み、前記入力部、第１および第２センサー、熱風循環装置、ドアロック装置、第１ヒーター、循環モーター、排水ポンプが電気的にコントローラと連結されていることを特徴とする請求項２５に記載の装置。
【請求項２７】
洗浄水を加熱し、
洗浄室のドアをロックし、
洗浄室の洗浄水を循環させるために循環モーターを駆動し、
前記洗浄水の温度を判断し、
前記洗浄水の温度が第１設定温度より高いかを判断し、
もし前記洗浄水の温度が第１設定温度より高いと、ドアをロック状態に保持し、洗浄水の温度が第１設定温度より低くなるまで循環モーターを駆動し、
もし前記洗浄水の温度が第１設定温度より低いと、ドアを解除し、
洗浄動作が終了したかを判断し、
もし洗浄動作が終了していないと、洗浄水の温度を感知して、循環モーターを駆動し、洗浄動作が終了するまで前記洗浄水の温度と第１設定温度との比較結果に基づいてドアがロックされるように制御し、
もし洗浄動作が終了したら、循環モーターを止めて、
洗浄室の空気を加熱し、洗浄室の空気を循環させるために送風ファンを駆動し、
ドアをロックし、
洗浄室の温度を感知し、
前記洗浄室の温度が第２設定温度より高いかを判断し、
もし洗浄室の温度が第２設定温度より高いと、洗浄室の温度が第２設定温度より低くなるまでドアをロック状態に保持し、
もし洗浄室の温度が第２設定温度より低いと、ドアを解除することを特徴とする洗浄機の制御方法。
【請求項２８】
洗浄水の温度を判断し、
洗浄室の温度を判断し、
もし洗浄水の温度が第１設定温度より高いと、洗浄室のドアを自動にロックし、
もし洗浄室の温度が第２設定温度より高いと、洗浄室のドアを自動にロックし、
洗浄水の温度および洗浄室の温度がそれぞれ第１設定温度および第２設定温度より低いと、ドアを自動に解除することを特徴とする洗浄機の制御方法。
【発明の詳細な説明】
【技術分野】
【０００１】
本発明は、加熱された洗浄水を利用して食器を洗浄する食器洗浄機およびその制御方法に関し、特に洗浄水を利用して食器を洗浄した後に熱風を循環させて食器を乾燥する食器洗浄機およびその制御方法に関する。
【背景技術】
【０００２】
食器洗浄機は、前面が開放されたボックス形状に形成され、内部に食器を洗浄するための洗浄室が設けられた本体と、前記本体の開放された前面を開閉するドアとを具備して、洗浄室に入れられた食器を洗浄する装置である。
【０００３】
洗浄室には、食器が安定的にセットされて噴射される水により洗浄作用が行われる食器バスケットが設置され、洗浄室の下部には洗浄水を集水するための集水箱と洗浄水を循環させる洗浄水循環装置、かつ洗浄水を排出するための排水装置が設置される。なお、洗浄室には洗浄水循環装置に連結されて食器バスケットに洗浄水を噴射することにより食器を洗浄する複数の噴射ノズルが配置されている。さらに、食器洗浄機は洗浄水を加熱するための加熱装置と、食器を乾燥させるために熱風を循環させる熱風循環装置とを含む。
【０００４】
このような食器洗浄機は、食器を洗浄し、乾燥する間にドアを開放できる構造からなる。加熱装置の付近に配置されるドアの内側は洗浄水を加熱する間において非常に熱いため、ドアの開放時に人体と接触する恐れがある。また、加熱された洗浄水を用いて食器を洗浄するときにドアが開放されると、高温の洗浄水がドアの外側に飛び散って人体と接触する恐れがある。
【０００５】
さらに、食器の乾燥のために熱風を循環させる場合、洗浄室の内部温度が非常に高い状態でドアが開放されると、熱気がドアの外側に飛び出て使用者を驚かしたり不快感を感じさせる恐れがある。
【発明の開示】
【発明が解決しようとする課題】
【０００６】
従って、本発明は、前述した従来の問題点を解決するために案出されたものであり、食器を洗浄し、乾燥する間にドアの開放を制限することにより、使用者が安心して気楽に使用できる食器洗浄機およびその制御方法を提供することにその目的がある。
【課題を解決するための手段】
【０００７】
前記の目的を達成するために、本発明の食器洗浄機は、食器を洗浄するための洗浄室と、洗浄水を加熱するための第１ヒーターと、前記洗浄水の温度を感知するための水温感知センサーと、前記洗浄室を開閉するためのドアと、前記ドアを選択的にロックするためのドアロック装置と、前記水温感知センサーにより感知された洗浄水の温度が第１設定温度より高いと、前記ドアをロックするように前記ドアロック装置を制御するコントローラとを含むことを特徴とする。
【０００８】
また、前記コントローラは、前記水温感知センサーにより感知された洗浄水の温度が第１設定温度より低いと、前記ドアのロックを解除する。
【０００９】
また、前記ドアロック装置は、前記ドアをロックするためのレバーを具備し、前記レバーは前記コントローラにより制御される。
【００１０】
また、前記洗浄水を集水するための集水箱をさらに含み、前記第１ヒーターおよび前記水温感知センサーは前記集水箱内に設置される。
【００１１】
また、前記第１ヒーターにより加熱された洗浄水を噴射する噴射ノズルと、前記集水箱に集水された洗浄水を前記噴射ノズルにポンプして循環させるモーターとをさらに含む。
【００１２】
また、前記食器を乾燥させるために、前記洗浄室に熱風を循環させる熱風循環装置と、前記洗浄室の温度を感知する室温感知センサーとをさらに含む。
【００１３】
また、前記熱風循環装置は食器を乾燥させるために、空気を加熱する第２ヒーターと、洗浄室に熱風を循環させる送風ファンとを含む。
【００１４】
また、前記室温感知センサーは前記第２ヒーターの付近に設置する。
【００１５】
また、前記コントローラは、前記室温感知センサーにより感知された洗浄室の温度が第２設定温度より高いと、前記ドアをロックするように前記ドアロック装置を制御する。
【００１６】
また、前記コントローラは、前記室温感知センサーにより感知された洗浄室の温度が第２設定温度より低いと、前記ドアのロックを解除するように前記ドアロック装置を制御する。
【００１７】
また、食器を洗浄するための洗浄室と、洗浄水を加熱するための洗浄水加熱ヒーターと、洗浄室の内部空気を加熱するための乾燥ヒーターと、前記洗浄水の温度を感知するための水温感知センサーと、前記洗浄室の温度を感知するための室温感知センサーと、前記洗浄室を開閉するためのドアと、前記ドアを選択的にロックするためのドアロック装置と、前記水温感知センサーにより感知された洗浄水の温度と前記室温感知センサーにより感知された洗浄室の温度のうち少なくとも一つと予め設定された温度とを比較し、前記ドアロック装置の作動を制御するコントローラとを含むことを特徴とする。
【００１８】
また、前記コントローラは、前記洗浄水の温度が第１設定温度より高いかまたは前記洗浄室の温度が第２設定温度より高いと、前記ドアをロックするようにドアロック装置を制御する。
【００１９】
また、前記コントローラは、前記洗浄水の温度が第１設定温度より低いかまたは前記洗浄室の温度が第２設定温度より低いと、前記ドアのロックを解除するようにドアロック装置を制御する。
【００２０】
また、コントローラは、前記水温感知センサーにより感知された洗浄水の温度と第１設定温度とを比較し、室温感知センサーにより感知された洗浄室の温度と第２設定温度とを比較することによりドアロック装置を制御し、前記コントローラは、前記洗浄水の温度が第１設定温度より高いと、ドアをロックするようにドアロック装置を制御し、前記洗浄室の温度が第２設定温度より高いと、ドアをロックするようにドアロック装置を制御し、前記洗浄水の温度が第１設定温度より低く、洗浄室の温度が前記第２設定温度より低いと、ドアを解除するように制御する。
【００２１】
また、洗浄室にセットされた食器を洗浄するために洗浄水を加熱し、前記洗浄水の温度を感知し、前記感知された洗浄水の温度と第１設定温度とを比較し、前記感知された洗浄水の温度が第１設定温度より高いと、洗浄室のドアをロックするようにドアロック装置を制御する。
【００２２】
また、前記感知された洗浄水の温度が前記第１設定温度より高いと、洗浄室のドアをロックするようにドアロック装置を制御することは、前記ドアロック状態で感知された洗浄水の温度が第１設定温度より低いと、ドアを解除するようにドアロック装置を制御することを含む。
【００２３】
また、前記食器の洗浄後に乾燥のために前記洗浄室に熱風を循環させ、前記洗浄室の温度を感知し、前記感知された洗浄室の温度と第２設定温度とを比較し、前記感知された洗浄室の温度が第２設定温度より高いと、洗浄室のドアをロックするようにドアロック装置を制御する。
【００２４】
また、前記感知された洗浄室の温度が第２設定温度より高いと、前記洗浄室のドアをロックするようにドアロック装置を制御することは、前記感知された洗浄室の温度が第２設定温度より低いと、ドアを解除するようにドアロック装置を制御する。
【発明の効果】
【００２５】
本発明に係る食器洗浄機は、食器の洗浄時に洗浄水の温度に応じてドアのロック状態を制御し、食器の乾燥時に洗浄室の内部温度に応じてドアのロック状態を制御する。したがって、本発明の食器洗浄機は、ドアの開放が適切な状態でドアの開放を許すことにより、使用者が安心して気楽に食器洗浄機を利用することができて、製品の信頼度を向上させることが可能となる。
【発明を実施するための最良の形態】
【００２６】
以下、本発明に係る好ましい実施形態を添付図面を参照しつつ詳細に説明する。なお、この発明の実施の形態について、同一の参照符号は同一の構成要素を示す。
【００２７】
図１および図２は、本発明の実施の形態による食器洗浄機の構造を示したものである。
【００２８】
図示したように、食器洗浄機は前面が開放されたボックス形状の本体１と、前記本体１の開放された前面を開閉するドア５とからなる外観を持っている。
【００２９】
ドア５にはドアを施錠かつ開錠するためのドアロック装置３０を設置する。このドアロック装置３０は後述するコントローラの制御に応じて作動するレバー３１を含む。本体の対応部位に位置した嵌合溝(図示せず)にレバー３１が嵌合されるとドアロック状態になり、レバー３１が嵌合溝から抜け出るとドアロックが解除された状態になる。
【００３０】
本体の外側には使用者による入力命令を設定するための入力部２が設けられ、内部には食器を洗浄するための空間として洗浄室４が配置される。
【００３１】
前記洗浄室の上部と下部には一対の食器バスケット６が前後方向に移動可能にそれぞれ配置されており、洗浄室４の下部には集水箱７と、洗浄水を循環させるための循環ポンプを駆動する循環モーター８および洗浄水を排水するための排水ポンプを駆動する排水モーター９が配置されている。
【００３２】
集水箱の内部には洗浄水を加熱するための第１ヒーター１２と加熱された洗浄水の温度を感知するための第１温度センサー１３を設置する。
【００３３】
集水箱７に集水されて加熱ヒーター１２により加熱された水を循環モーター８の駆動により連結管１０を通じてポンプし、複数の噴射ノズル１１により洗浄水を噴射させることにより食器を洗浄することになる。
【００３４】
本発明の食器洗浄機は、食器洗浄後に食器に残っている水気を除去するために熱風を循環させる熱風循環装置２０を具備する。
【００３５】
前記熱風循環装置２０はドア５の内部に設置されるケース部２１を具備する。前記ケース部２１はその内部に第２ヒーター２５と、送風ファン２３およびファンモーター２４を含む。ケース部２１の開口部にはカバー部２２が結合され、前記カバー部の表面に複数の通気穴が形成されて、送風ファン２３により送風される熱風を洗浄室４に送ると同時に洗浄室４を循環する空気をケース部２１内に流入させる役割をする。
【００３６】
本発明は洗浄室の温度を感知するための第２温度センサー２６をさらに具備するが、前記第２温度センサー２６はケース部２１内に設置されて、洗浄室４の温度を感知する。すなわち、第２ヒーター２５により加熱されて送風ファン２３により送風される熱風の温度を洗浄室４の温度として感知する。第２温度センサー２６は、洗浄室の内部温度が感知できるなら、ケース部の以外のところにも設置が可能である。
【００３７】
図３を参照すると、食器洗浄機は、加熱された洗浄水により食器を洗浄する動作と、熱風により食器を乾燥する動作と、洗浄水の温度および洗浄室の温度に応じてドアのロックを制御する動作とを制御するコントローラ４０を具備する。
【００３８】
コントローラ４０の入力側には、使用者の設定命令を入力するための入力部２と、洗浄水の温度を感知するための第１温度センサー１３と、かつ洗浄室４の温度を感知するための第２温度センサー２６とを電気的に連結する。
【００３９】
コントローラ４０の出力側には、ドアロック装置３０を駆動するためのドアロック装置駆動部４１と、洗浄水を循環させるために循環モーター８を駆動する循環モーター駆動部４２と、食器洗浄に使用された洗浄水を排水するために排水モーター９を駆動する排水モーター駆動部４３と、加熱された空気を強制に送風するためのファンモーター２４を駆動するファンモーター駆動部４４と、かつ集水箱７に設置されて洗浄水を加熱する第１ヒーター１２とドア内側に設置されて熱風を発生させるために空気を加熱する第２ヒーター２５を駆動するヒーター駆動部４５とを電気的に連結する。
【００４０】
コントローラ４０は食器を洗浄室４に入れて加熱された洗浄水を利用して食器を洗浄したり、或いは食器の乾燥のために熱風を循環させるときに、ドアの開放を選択的に制限する。
【００４１】
前記のような構成を有する食器洗浄機の制御方法１００を添付図面に基づき詳細に説明する。
【００４２】
ドア５を開放しバスケット６を外側に引き出した後、そのバスケット６の内部に食器をセットして洗浄室４の内部に押し入れてからドア５を閉める。
【００４３】
コントローラ４０は集水箱７に給水された水を加熱するために、第１ヒーター１２を駆動する(１０１段階)。洗浄水の加熱時、コントローラ４０はドア５をロックするためにドアロック装置３０を駆動する(１０３段階)。ドアロック状態ではレバー３１が嵌合溝に嵌合されているため、使用者がドアを引っ張ってもドア５が開放しない。それから、コントローラ４０は加熱された洗浄水を食器に噴射するために、循環モーター８を駆動する(１０５段階)。加熱された洗浄水は連結管１０を通じて噴射ノズル１１に供給されて食器に噴射され、よって食器にこびりついたご飯汚れが落とされる。
【００４４】
次に、第１温度センサー１３は洗浄水の温度を感知して、水温感知信号をコントローラ４０に印加する(１０７段階)。コントローラ４０は感知信号を受けて、洗浄水の温度を認識する。コントローラ４０は洗浄水の温度を第１設定温度と比較するが、洗浄水の温度が第１設定温度より高いかを判断する(１０９段階)。もし、洗浄水の温度が第１設定温度より高いと、ドアの開放が適切でないため、１０３段階に戻って洗浄水の温度を引き続き監視しながらドアをロック状態に保持する。その反面、洗浄水の温度が第１設定温度より低いと、洗浄水が人体と接しても危なくないので、コントローラ４０はドアのロックを解除する(１１１段階)。
【００４５】
次に、コントローラ４０は加熱された洗浄水を利用して食器を洗浄する過程が終了したかを判断する(１１３段階)。もし、洗浄過程が終了していないと、洗浄水を利用して食器洗浄動作を完成する。その反面、洗浄過程が終了した場合には、コントローラ４０が循環モーター８の駆動を停止する(１１５段階)。
【００４６】
食器洗浄過程が終了すると、コントローラ４０は洗浄室４に熱風を循環させるために第２ヒーター２５および送風ファン２３を駆動する(１１７段階)。第２ヒーター２５により加熱された空気は送風ファン２３により強制に送風され、この熱風が循環することにより食器に残っている水気を迅速に乾燥させることができる。第２ヒーター２５および送風ファン２３の駆動が開始された後、コントローラ４０はドアロック装置３０を駆動してドア５をロックする(１１９段階)。
【００４７】
第２温度センサー２６は熱風の温度を感知して、熱風感知信号をコントローラに印加する(１２１段階)。コントローラ４０は感知信号を受けて熱風の温度を認識するが、その熱風の温度を洗浄室４０の内部温度として認識する。コントローラ４０は洗浄室の内部温度を第２設定温度と比較するが、洗浄室４の温度が第２設定温度より高いかを判断する(１２３段階)。もし、洗浄室４の温度が第２設定温度より高いと、ドアの開放が適切でないため、コントローラ４０は１１９段階に戻って、洗浄室４の温度を引き続き監視しながらドアのロック状態を保持する。もし、洗浄室４の温度が第２設定温度より高くないと、洗浄室４の熱風が人体と接触しても危なくないので、コントローラ４０がドアのロックを解除する(１２５段階)。
【００４８】
前記のような本発明の実施の形態によると、食器の洗浄時に洗浄水の温度に応じてドアのロック状態を制御し、食器の乾燥時に洗浄室の内部温度に応じてドアのロック状態を制御する。したがって、本発明の食器洗浄機は、ドアの開放が適切な状態でドアの開放を許すことにより、使用者が安心して気楽に食器洗浄機を利用することができて、製品の信頼度を向上させることが可能となる。
【００４９】
以上、本発明を具体的な実施の形態に基づき説明したが、本発明の思想を外れない範囲内で様々な変形が可能であることは当業者にとって自明であり、従って、本発明の範囲は特許請求の範囲及びその請求の範囲と均等なものによって定められるべきである。
【図面の簡単な説明】
【００５０】
【図１】本発明の実施の形態による食器洗浄機の斜視図である。
【図２】図１の食器洗浄機をＩＩ−ＩＩ線により切断した断面図である。
【図３】図１に示す食器洗浄機に適用される制御ブロック図である。
【図４】図１に示す食器洗浄機の制御方法を示した流れ図である。
【符号の説明】
【００５１】
１：本体                             ５：ドア
１２：第１ヒーター                   １３：第１温度センサー
２５：第２ヒーター                   ２６：第２温度センサー
３０：ドアロック装置
【図１】
2005177461.tif 000003
【図２】
2005177461.tif 000004
【図３】
2005177461.tif 000005
【図４】
2005177461.tif 000006